(57)【要約】【課題】消費電力および製造コストの増加を抑制することができる液晶表示装置を実現する。【解決手段】テレビジョン受信機１において、低消費電力表示モードが選択された場合には、ＬＥＤ基板５上に形成された全てのＬＥＤ光源４中、中央部の４つのＬＥＤ光源４のみが点灯状態となり、その他のＬＥＤ光源４は消灯状態となり、ＬＥＤバックライトユニット３に備えられた発光面の複数の領域中、点灯された領域（光が出射される領域）と平面視において重なる液晶表示パネル２の表示領域に、所定の画像表示をさせる。【選択図】図１
2015096872.tif 000002
【特許請求の範囲】
【請求項１】
液晶表示パネルと、
複数の光源を有し、上記複数の光源からの光を発光面から出射させ、上記液晶表示パネルに照射する面光源装置と、を備えた液晶表示装置であって、
上記発光面は上記発光面の一辺に沿って領域分けされた複数の領域を有しており、
上記発光面を上記領域分けされた複数の領域毎に点灯または消灯させる上記複数の光源の制御部と、
上記発光面から出射された光の透過率を上記液晶表示パネルの所定の領域毎に制御し、画像表示を行うための画像データを上記液晶表示パネルに出力する映像処理部と、を備え、
第１のモード選択時には、上記制御部は上記発光面の全領域を点灯させ、上記映像処理部は上記発光面の全領域と平面視において重なる上記液晶表示パネルの表示領域に画像表示をさせ、
第２のモード選択時には、上記制御部は上記発光面の複数の領域中の一部の領域を点灯させ、上記映像処理部は上記発光面の複数の領域中、点灯された領域と平面視において重なる上記液晶表示パネルの表示領域に、画像表示をさせることを特徴とする液晶表示装置。
【請求項２】
上記面光源装置は、エッジライト型であることを特徴とする請求項１に記載の液晶表示装置。
【請求項３】
上記発光面と平面視において重なる領域である上記液晶表示パネルの表示領域は、第１の方向の幅と、上記第１の方向と直交する第２の方向の幅と、を有しており、
上記表示領域の上記第１の方向が、上記表示領域の観者を基準に、左右方向に沿って配置された場合には、上記制御部および上記映像処理部に上記第１のモードが選択されたことに関するデータを出力し、上記表示領域の上記第１の方向が、上記表示領域の観者を基準に、上下方向に沿って配置された場合には、上記制御部および上記映像処理部に上記第２のモードが選択されたことに関するデータを出力する上記表示領域の配置方向検知部を備えていることを特徴とする請求項１または２に記載の液晶表示装置。
【請求項４】
上記表示領域の配置方向検知部は、角度センサーであることを特徴とする請求項３に記載の液晶表示装置。
【請求項５】
上記表示領域の配置方向検知部は、撮像装置と、上記撮像装置から得られた画像を比較する画像比較部と、を備えていることを特徴とする請求項３に記載の液晶表示装置。
【請求項６】
上記制御部と、上記映像処理部と、上記表示領域の配置方向検知部と、上記液晶表示パネルと、上記面光源装置と、は、１つの筐体内に備えられていることを特徴とする請求項３から５の何れか１項に記載の液晶表示装置。
【請求項７】
第１の筐体と、上記第１の筐体とは分離された第２の筐体と、を備えており、
上記第１の筐体内には、上記制御部と、上記映像処理部と、が備えられており、
上記第２の筐体内には、上記表示領域の配置方向検知部と、上記液晶表示パネルと、上記面光源装置と、が備えられており、
上記表示領域の配置方向検知部から出力される上記第１のモードまたは上記第２のモードが選択されたことに関するデータは、上記第１の筐体と第２の筐体との間に接続された配線を介して、上記制御部および上記映像処理部に入力され、
上記制御部および上記映像処理部に入力された上記第１のモードまたは上記第２のモードが選択されたことに関するデータに応じて、上記制御部から出力される上記発光面を上記領域分けされた複数の領域毎に点灯または消灯させる制御信号と上記映像処理部から出力される上記画像データとの各々は、上記第１の筐体と第２の筐体との間に接続された配線を介して、それぞれ上記面光源装置と上記液晶表示パネルとに入力されることを特徴とする請求項３から５の何れか１項に記載の液晶表示装置。
【請求項８】
第１の筐体と、上記第１の筐体とは分離された第２の筐体と、を備えており、
上記第１の筐体内には、上記制御部と、上記映像処理部と、第１の無線通信部と、が備えられており、
上記第２の筐体内には、上記表示領域の配置方向検知部と、上記液晶表示パネルと、上記面光源装置と、第２の無線通信部と、が備えられており、
上記表示領域の配置方向検知部から出力される上記第１のモードまたは上記第２のモードが選択されたことに関するデータは、上記第２の無線通信部と上記第１の無線通信部とを介して、上記制御部および上記映像処理部に入力され、
上記制御部および上記映像処理部に入力された上記第１のモードまたは上記第２のモードが選択されたことに関するデータに応じて、上記制御部から出力される上記発光面を上記領域分けされた複数の領域毎に点灯または消灯させる制御信号と上記映像処理部から出力される上記画像データとの各々は、上記第１の無線通信部と上記第２の無線通信部とを介して、それぞれ上記面光源装置と上記液晶表示パネルとに入力されることを特徴とする請求項３から５の何れか１項に記載の液晶表示装置。
【請求項９】
上記制御部と、上記映像処理部と、上記表示領域の配置方向検知部と、は、上記液晶表示パネルまたは、上記面光源装置に備えられていることを特徴とする請求項６に記載の液晶表示装置。
【請求項１０】
上記表示領域の上記第１の方向が、上記表示領域の観者を基準に、左右方向に沿って配置された場合、上記表示領域の上記第１の方向における第１の画素数は、上記表示領域の上記第２の方向における第２の画素数より大きくなっており、
上記第１のモード選択時には、上記第１の画素数と上記第２の画素数とを有する第１の画像が表示され、
上記第２のモード選択時には、上記第１の画素数と上記第２の画素数と、の比が維持され、かつ、上記第１の画像より縮小された第２の画像が表示されることを特徴とする請求項３から９の何れか１項に記載の液晶表示装置。
【請求項１１】
上記第１の画像における第２の画素数は、上記第２の画像の上記表示領域の上記第２の方向の画素数であることを特徴とする請求項１０に記載の液晶表示装置。
【請求項１２】
上記第２のモード選択時に、上記発光面の複数の領域中、点灯された領域と平面視において重なる上記液晶表示パネルの表示領域には、少なくとも２つ以上の異なる画像が同時に表示されることを特徴とする請求項１から１１の何れか１項に記載の液晶表示装置。
【請求項１３】
上記第２のモード選択時に、上記発光面の複数の領域中、点灯された領域と平面視において重なる上記液晶表示パネルの表示領域に表示される画像は、上記表示領域における所定の位置に表示されることを特徴とする請求項１から１２の何れか１項に記載の液晶表示装置。
【請求項１４】
上記第１のモードまたは、上記第２のモードは、外部入力によって選択されることを特徴とする請求項１または２に記載の液晶表示装置。
【請求項１５】
上記外部入力はリモコンによって行われることを特徴とする請求項１４に記載の液晶表示装置。
【発明の詳細な説明】
【技術分野】
【０００１】
本発明は、液晶パネルを備えたテレビジョン受信機などの液晶表示装置に関するものである。
【背景技術】
【０００２】
近年、映画やゲームなどのように大画面でより楽しめるコンテンツが盛んになっており、これらのコンテンツを表示するテレビやモニターなどの表示装置の大型化への要求が強くなっている。
【０００３】
しかしながら、一般的には、表示装置の大型化は消費電力の増加を伴うため、より低消費電力で駆動可能な表示装置が要望されている。
【０００４】
このような要望に応じて、低消費電力モードを備えた表示装置が開発されている。
【０００５】
例えば、下記特許文献１には、ノーマル駆動モード選択時には通常サイズの表示映像が表示されるが、ノーマル駆動モードではないインテリアモード（低消費電力モード）選択時には、上記通常サイズの表示映像よりその大きさが小さい小ウィンドウで表示することにより、低消費電力モードを具現し、その消費電力を抑えることのできる表示装置について開示されている。
【０００６】
図１５は、液晶表示パネル１１０と、バックライトユニット１１７と、を備えた従来の液晶表示装置を示す図である。
【０００７】
図示されているように、従来の液晶表示装置においては、インテリアモード（低消費電力モード）の選択信号（ＩＭＳ）の入力に応じて、液晶表示パネル１１０における複数の小ウィンドウが表示される領域に入力デジタルビデオデータ（ＲＧＢ）がそのまま表示されるとともに、この複数の小ウィンドウに対応するバックライトユニット１１７の光源ブロックを点灯させる。
【０００８】
一方、インテリアモード（低消費電力モード）の選択信号（ＩＭＳ）の入力に応じて、液晶表示パネル１１０における上記複数の小ウィンドウが表示される領域以外の領域には、ブラックデータ（ＢＤ）が表示されるとともに、対応するバックライトユニット１１７の光源ブロックを消灯させる。
【０００９】
上記構成によれば、インテリアモード（低消費電力モード）の選択時には、バックライトユニット１１７の光源ブロック中の一部を消灯できるので、低消費電力で液晶表示装置を駆動可能となる。
【先行技術文献】
【特許文献】
【００１０】
【特許文献１】特開２００９−２９４６３７号公報（２００９年１２月１７日公開）
【発明の概要】
【発明が解決しようとする課題】
【００１１】
しかしながら、図１５に示す上記特許文献１に記載の従来の液晶表示装置においては、液晶表示パネル１１０に入力される画像データを解析し、かつ、上記画像データの解析結果に応じて、バックライトユニット１１７に備えられた複数のＬＥＤ光源中、どの領域のＬＥＤ光源を点灯させ、どの領域のＬＥＤ光源を消灯させるかを制御する所定の制御信号をＬＥＤ光源制御回路に出力する画像解析回路が備えられる必要がある。
【００１２】
また、図１５に示す上記特許文献１に記載の従来の液晶表示装置においては、ノーマル駆動モード選択時に表示される通常サイズの表示映像を、例えば、アスペクト比を維持したまま、縮小させ、小ウィンドウで表示しようとすると、上記画像解析回路による解析結果は上記小ウィンドウの周辺３辺以上が黒表示となるため、バックライトユニット１１７に備えられたＬＥＤ光源は、所謂、ローカルディミングによる制御、すなわち、少ない数のＬＥＤ光源からなる光源ブロック毎にまたは個々のＬＥＤ光源毎に点灯または消灯できる制御が可能である必要がある。すなわち、多数のＬＥＤ光源または、光源ブロックを個別に制御できる必要がある。
【００１３】
以上のように、上記特許文献１に記載の従来の液晶表示装置は、上記画像解析回路を備える必要があるとともに、バックライトユニット１１７に備えられた多数のＬＥＤ光源または、光源ブロックを個別に制御するため、複雑なＬＥＤ光源制御回路と複雑な配線接続とが必要となる。
【００１４】
したがって、上記特許文献１に記載の従来の液晶表示装置においては、インテリアモード（低消費電力モード）の選択時には、低消費電力で液晶表示装置を駆動させることができるが、その反面、必要となる回路数の増大と、回路および配線の複雑化と、が随伴されるため、満足できる程に、消費電力および製造コストの増加を抑制することができないという問題がある。
【００１５】
本発明は、上記の問題点に鑑みてなされたものであり、消費電力および製造コストの増加を抑制することができる液晶表示装置を提供することを目的とする。
【課題を解決するための手段】
【００１６】
本発明の液晶表示装置は、上記の課題を解決するために、液晶表示パネルと、複数の光源を有し、上記複数の光源からの光を発光面から出射させ、上記液晶表示パネルに照射する面光源装置と、を備えた液晶表示装置であって、上記発光面は上記発光面の一辺に沿って領域分けされた複数の領域を有しており、上記発光面を上記領域分けされた複数の領域毎に点灯または消灯させる上記複数の光源の制御部と、上記発光面から出射された光の透過率を上記液晶表示パネルの所定の領域毎に制御し、画像表示を行うための画像データを上記液晶表示パネルに出力する映像処理部と、を備え、第１のモード選択時には、上記制御部は上記発光面の全領域を点灯させ、上記映像処理部は上記発光面の全領域と平面視において重なる上記液晶表示パネルの表示領域に画像表示をさせ、第２のモード選択時には、上記制御部は上記発光面の複数の領域中の一部の領域を点灯させ、上記映像処理部は上記発光面の複数の領域中、点灯された領域と平面視において重なる上記液晶表示パネルの表示領域に、画像表示をさせることを特徴としている。
【００１７】
従来構成によれば、入力される画像データを解析し、かつ、上記画像データの解析結果に応じて、バックライトユニットに備えられた複数のＬＥＤ光源中、どの領域のＬＥＤ光源を点灯させ、どの領域のＬＥＤ光源を消灯させるかを制御する所定の制御信号をＬＥＤ光源制御回路に出力する画像解析回路が備えられる必要があった。
【００１８】
一方、本発明の構成においては、入力される画像データを解析することなく、第１のモード選択時には、上記制御部は上記発光面の全領域を点灯させ、第２のモード選択時には、上記制御部は上記発光面の複数の領域中の一部の領域を点灯させるようになっている。したがって、従来構成のように、画像解析回路が備えられる必要はない。
【００１９】
また、従来構成によれば、上記画像解析回路による解析結果によっては、表示画像の周辺３辺以上が黒表示となるため、バックライトユニットに備えられたＬＥＤ光源は、所謂、ローカルディミングによる制御、すなわち、少ない数のＬＥＤ光源からなる光源ブロック毎にまたは個々のＬＥＤ光源毎に点灯または消灯できる制御が可能である必要があった。したがって、少ない数のＬＥＤ光源からなる光源ブロック毎にまたは個々のＬＥＤ光源毎に点灯または消灯できる複雑なＬＥＤ光源制御回路と複雑な配線接続とが必要となる。
【００２０】
一方、本発明の構成においては、上記発光面は上記発光面の一辺に沿って領域分けされた複数の領域を有しており、上記発光面の複数の領域中、点灯された領域を用いて、第２のモード選択時に、画像表示を行っている。したがって、上記発光面の一辺に沿って領域分けされた複数の領域毎に点灯または消灯できればよいので、従来構成のような複雑なＬＥＤ光源制御回路と複雑な配線接続とは必要ない。
【００２１】
よって、上記構成によれば、必要となる回路数の増大と、回路および配線の複雑化と、を抑制し、消費電力および製造コストの増加を満足できる程に、抑制できる液晶表示装置を実現できる。
【００２２】
本発明の液晶表示装置において、上記面光源装置は、エッジライト型であることが好ましい。
【００２３】
上記構成によれば、上記面光源装置は、エッジライト型であるため、より少ない数の光源の制御によって、上記発光面の一辺に沿って領域分けされた複数の領域毎に点灯または消灯できるので、回路および配線の複雑化をさらに抑制し、消費電力および製造コストの増加をさらに満足できる程に、抑制できる液晶表示装置を実現できる。
【００２４】
本発明の液晶表示装置において、上記発光面と平面視において重なる領域である上記液晶表示パネルの表示領域は、第１の方向の幅と、上記第１の方向と直交する第２の方向の幅と、を有しており、上記表示領域の上記第１の方向が、上記表示領域の観者を基準に、左右方向に沿って配置された場合には、上記制御部および上記映像処理部に上記第１のモードが選択されたことに関するデータを出力し、上記表示領域の上記第１の方向が、上記表示領域の観者を基準に、上下方向に沿って配置された場合には、上記制御部および上記映像処理部に上記第２のモードが選択されたことに関するデータを出力する上記表示領域の配置方向検知部を備えていることが好ましい。
【００２５】
上記構成によれば、上記液晶表示パネルの表示領域の配置方向検知部を備えているので、上記観者に対して上記液晶表示パネルの表示領域の配置方向を変えることにより、上記第１のモードおよび上記第２のモードの何れかを選択することができる。
【００２６】
本発明の液晶表示装置において、上記表示領域の配置方向検知部は、角度センサーであってもよい。
【００２７】
上記構成によれば、角度センサーを用いて、上記観者に対して上記液晶表示パネルの表示領域の配置方向を検知することができる。
【００２８】
本発明の液晶表示装置において、上記表示領域の配置方向検知部は、撮像装置と、上記撮像装置から得られた画像を比較する画像比較部と、を備えている構成であってもよい。
【００２９】
上記構成によれば、撮像装置と、上記撮像装置から得られた画像を比較する画像比較部と、を用いて、上記観者に対して上記液晶表示パネルの表示領域の配置方向を検知することができる。
【００３０】
本発明の液晶表示装置において、上記制御部と、上記映像処理部と、上記表示領域の配置方向検知部と、上記液晶表示パネルと、上記面光源装置と、は、１つの筐体内に備えられていてもよい。
【００３１】
上記構成によれば、よりコンパクトな液晶表示装置を実現することができる。
【００３２】
また、上記制御部と、上記映像処理部と、上記表示領域の配置方向検知部と、上記液晶表示パネルと、上記面光源装置と、が、複数の筐体に分けられ、設けられている場合には、複数の筐体と、これらの間のデータの送受信手段や外部配線とが必要となるが、上記構成においては、これらが必要ない分、安価な液晶表示装置を実現できる。
【００３３】
本発明の液晶表示装置は、第１の筐体と、上記第１の筐体とは分離された第２の筐体と、を備えており、上記第１の筐体内には、上記制御部と、上記映像処理部と、が備えられており、上記第２の筐体内には、上記表示領域の配置方向検知部と、上記液晶表示パネルと、上記面光源装置と、が備えられており、上記表示領域の配置方向検知部から出力される上記第１のモードまたは上記第２のモードが選択されたことに関するデータは、上記第１の筐体と第２の筐体との間に接続された配線を介して、上記制御部および上記映像処理部に入力され、上記制御部および上記映像処理部に入力された上記第１のモードまたは上記第２のモードが選択されたことに関するデータに応じて、上記制御部から出力される上記発光面を上記領域分けされた複数の領域毎に点灯または消灯させる制御信号と上記映像処理部から出力される上記画像データとの各々は、上記第１の筐体と第２の筐体との間に接続された配線を介して、それぞれ上記面光源装置と上記液晶表示パネルとに入力される構成であってもよい。
【００３４】
上記構成によれば、上記第２の筐体の軽量化を実現できるので、上記液晶表示パネルの表示領域の配置方向をより容易に変えることのできる液晶表示装置を実現することができる。
【００３５】
本発明の液晶表示装置は、第１の筐体と、上記第１の筐体とは分離された第２の筐体と、を備えており、上記第１の筐体内には、上記制御部と、上記映像処理部と、第１の無線通信部と、が備えられており、上記第２の筐体内には、上記表示領域の配置方向検知部と、上記液晶表示パネルと、上記面光源装置と、第２の無線通信部と、が備えられており、上記表示領域の配置方向検知部から出力される上記第１のモードまたは上記第２のモードが選択されたことに関するデータは、上記第２の無線通信部と上記第１の無線通信部とを介して、上記制御部および上記映像処理部に入力され、上記制御部および上記映像処理部に入力された上記第１のモードまたは上記第２のモードが選択されたことに関するデータに応じて、上記制御部から出力される上記発光面を上記領域分けされた複数の領域毎に点灯または消灯させる制御信号と上記映像処理部から出力される上記画像データとの各々は、上記第１の無線通信部と上記第２の無線通信部とを介して、それぞれ上記面光源装置と上記液晶表示パネルとに入力される構成であってもよい。
【００３６】
上記構成によれば、上記制御部と、上記映像処理部と、第１の無線通信部と、が備えられた上記第１の筐体と、上記観者に対して、例えば、回転などをさせ、上記液晶表示パネルの表示領域の配置方向を変える対象となる、上記表示領域の配置方向検知部と、上記液晶表示パネルと、上記面光源装置と、第２の無線通信部と、が備えられた上記第２の筐体とが分離されている構成である。
【００３７】
したがって、上記第２の筐体の軽量化を実現できるので、上記液晶表示パネルの表示領域の配置方向をより容易に変えることのできる液晶表示装置を実現することができる。
【００３８】
また、上記構成によれば、上記第１の筐体および上記第２の筐体間のデータの送受信は、第１の無線通信部と第２の無線通信部とを介して行われるので、上記第１の筐体および上記第２の筐体間のデータの送受信を行うための配線を設ける必要がない。
【００３９】
したがって、信頼性および見栄えが向上された液晶表示装置を実現することができる。
【００４０】
本発明の液晶表示装置においては、上記制御部と、上記映像処理部と、上記表示領域の配置方向検知部と、は、上記液晶表示パネルまたは、上記面光源装置に備えられていてもよい。
【００４１】
上記構成によれば、上記制御部と、上記映像処理部と、上記表示領域の配置方向検知部と、を設けるための別途の基板などを備える必要がないため、よりコンパクトな液晶表示装置を実現することができ、特にモバイル用の液晶表示装置として好適に用いることができる。
【００４２】
本発明の液晶表示装置は、上記表示領域の上記第１の方向が、上記表示領域の観者を基準に、左右方向に沿って配置された場合、上記表示領域の上記第１の方向における第１の画素数は、上記表示領域の上記第２の方向における第２の画素数より大きくなっており、上記第１のモード選択時には、上記第１の画素数と上記第２の画素数とを有する第１の画像が表示され、上記第２のモード選択時には、上記第１の画素数と上記第２の画素数と、の比が維持され、かつ、上記第１の画像より縮小された第２の画像が表示される構成であってもよい。
【００４３】
上記構成によれば、上記第１のモード選択時に、表示される上記第１の画像における上記第１の画素数と上記第２の画素数と、の比（アスペクト比）が維持され、かつ、上記第１の画像より縮小された第２の画像が、上記第２のモード選択時に表示されるようになっている。
【００４４】
したがって、上記第２のモード選択時に表示される第２の画像が、一方向だけに伸縮し、見栄えが悪い画像となることはない。
【００４５】
本発明の液晶表示装置においては、上記第１の画像における第２の画素数は、上記第２の画像の上記表示領域の上記第２の方向の画素数であってもよい。
【００４６】
上記構成によれば、上記第１のモード選択時に表示される上記第１の画素数と上記第２の画素数とを有する第１の画像における上記第２の画素数が、上記第２のモード選択時に表示される第２の画像における上記表示領域の上記第２の方向の画素数となっている。
【００４７】
したがって、上記第２のモード選択時に表示される第２の画像は、上記第１のモード選択時に表示される上記第１の画像における上記第１の画素数と上記第２の画素数と、の比（アスペクト比）が維持された画像の中では、最も大きい画像となる。
【００４８】
本発明の液晶表示装置においては、上記第２のモード選択時に、上記発光面の複数の領域中、点灯された領域と平面視において重なる上記液晶表示パネルの表示領域には、少なくとも２つ以上の異なる画像が同時に表示される構成であってもよい。
【００４９】
上記構成によれば、上記第２のモード選択時に、複数の画像を同時に表示できる複数画像表示モードを実現することができる。
【００５０】
本発明の液晶表示装置においては、上記第２のモード選択時に、上記発光面の複数の領域中、点灯された領域と平面視において重なる上記液晶表示パネルの表示領域に、表示される画像は、上記表示領域における所定の位置に表示される構成であってもよい。
【００５１】
上記構成によれば、上記第２のモード選択時に、上記液晶表示パネルの表示領域において、画像が表示される位置が決められているので、回路および配線の複雑化を抑制することができる。
【００５２】
本発明の液晶表示装置において、上記第１のモードまたは、上記第２のモードは、外部入力によって選択される構成であってもよい。
【００５３】
上記構成によれば、上記観者に対して上記液晶表示パネルの表示領域の配置方向を変えることなく、外部入力によって、上記第１のモードまたは、上記第２のモードを、選択することができる。
【００５４】
本発明の液晶表示装置において、上記外部入力はリモコンによって行われる構成であってもよい。
【００５５】
上記構成によれば、一般的に液晶表示装置に備えられるリモコンを用いて、上記外部入力を容易に行うことができる。
【００５６】
本発明の液晶表示装置において、上記表示領域における所定の位置の設定は、外部入力によって行われる構成であってもよい。
【００５７】
上記構成によれば、上記第２のモード選択時に、上記液晶表示パネルの表示領域において、画像が表示される位置を外部入力によって変えることができる。
【発明の効果】
【００５８】
本発明の液晶表示装置は、以上のように、上記発光面は上記発光面の一辺に沿って領域分けされた複数の領域を有しており、上記発光面を上記領域分けされた複数の領域毎に点灯または消灯させる上記複数の光源の制御部と、上記発光面から出射された光の透過率を上記液晶表示パネルの所定の領域毎に制御し、画像表示を行うための画像データを上記液晶表示パネルに出力する映像処理部と、を備え、第１のモード選択時には、上記制御部は上記発光面の全領域を点灯させ、上記映像処理部は上記発光面の全領域と平面視において重なる上記液晶表示パネルの表示領域に画像表示をさせ、第２のモード選択時には、上記制御部は上記発光面の複数の領域中の一部の領域を点灯させ、上記映像処理部は上記発光面の複数の領域中、点灯された領域と平面視において重なる上記液晶表示パネルの表示領域に、画像表示をさせる構成である。
【００５９】
それゆえ、消費電力および製造コストの増加を抑制することができる液晶表示装置を実現することができる。
【図面の簡単な説明】
【００６０】
【図１】本発明の一実施の形態のテレビジョン受信機において、表示領域の第１の方向が、表示領域の観者を基準に、上下方向に沿って配置された場合を示す図である。
【図２】本発明の一実施の形態のテレビジョン受信機において、表示領域の第１の方向が、表示領域の観者を基準に、左右方向に沿って配置された場合を示す図である。
【図３】本発明の一実施の形態のテレビジョン受信機に備えられたＬＥＤバックライトユニットの構成を説明するための図である。
【図４】本発明の一実施の形態のテレビジョン受信機において、液晶表示パネルの表示領域と、ＬＥＤバックライトユニットとが、平面視において重ねられた部分を示す図である。
【図５】本発明の一実施の形態のテレビジョン受信機に備えられた駆動回路のブロック図である。
【図６】本発明の一実施の形態のテレビジョン受信機において、低消費電力表示モードである第２のモードが選択された場合に表示される画像が、少なくとも２つ以上の異なる画像が同時に表示されるように設定した場合を示す図である。
【図７】本発明の一実施の形態のテレビジョン受信機に備えることができるタンデム型のバックライトの概略構成を示す図である。
【図８】図７に示すタンデム型のバックライトを備えたテレビジョン受信機の概略構成を示す図である。
【図９】本発明の一実施の形態のテレビジョン受信機に備えることができるタイル型のバックライトの概略構成を示す図である。
【図１０】図９に示すタイル型のバックライトを備えたテレビジョン受信機の概略構成を示す図である。
【図１１】本発明の他の一実施の形態のテレビジョン受信機の概略構成を示す図である。
【図１２】本発明の他の一実施の形態のテレビジョン受信機に備えられた回路のブロック図である。
【図１３】本発明のさらに他の一実施の形態のテレビジョン受信機に備えられた回路のブロック図である。
【図１４】本発明のさらに他の一実施の形態のテレビジョン受信機に備えられた回路のブロック図である。
【図１５】特許文献１に記載の従来の液晶表示装置の概略構成を示す図である。
【発明を実施するための形態】
【００６１】
以下、図面に基づいて本発明の実施の形態について詳しく説明する。ただし、この実施の形態に記載されている構成部品の寸法、材質、形状、その相対配置などはあくまで一実施形態に過ぎず、これらによってこの発明の範囲が限定解釈されるべきではない。
【００６２】
なお、以下の実施の形態においては、液晶表示パネルを備えた液晶表示装置の一例として、テレビジョン受信機を例に挙げて説明するが、これに限定されることはなく、液晶表示パネルを備えたモニターなどであってもよい。
【００６３】
〔実施の形態１〕
以下、図１から図１０に基づいて、本発明の第１の実施形態について説明する。
【００６４】
図１は、第１の方向の幅が上記第１の方向と直交する第２の方向の幅より大きい表示領域を有する液晶表示パネル２と、液晶表示パネル２の表示面側の反対方向から光を照射するＬＥＤバックライトユニット３と、を備えたテレビジョン受信機１において、上記表示領域の上記第１の方向が、上記表示領域の観者を基準に、上下方向に沿って配置された場合を示す図である。
【００６５】
一方、図２は、図１に図示したテレビジョン受信機１において、上記表示領域の上記第１の方向が、上記表示領域の観者を基準に、左右方向に沿って配置された場合を示す図である。
【００６６】
テレビジョン受信機１においては、テレビジョン受信機１が図２のように配置された場合、すなわち、上記表示領域の上記第１の方向が、上記表示領域の観者を基準に、左右方向に沿って配置された場合には、通常の表示モードである第１のモードが選択され、一方、テレビジョン受信機１が図１のように配置された場合、すなわち、上記表示領域の上記第１の方向が、上記表示領域の観者を基準に、上下方向に沿って配置された場合には、低消費電力表示モードである第２のモードが選択されるようになっている。
【００６７】
図２に図示されているように、テレビジョン受信機１において、通常の表示モードである第１のモードが選択された場合には、ＬＥＤ基板５上に形成された全てのＬＥＤ光源４が点灯状態となり、ＬＥＤバックライトユニット３に備えられた発光面（未図示）の全領域から光が出射されることとなる。
【００６８】
そして、上記発光面と平面視において重なる領域である液晶表示パネル２の表示領域には、所定の画像が表示される。
【００６９】
一方、図１に図示されているように、テレビジョン受信機１において、低消費電力表示モードである第２のモードが選択された場合には、ＬＥＤバックライトユニット３に備えられた発光面（未図示）の複数の領域中の一部の領域からのみ光が出射されることとなる。
【００７０】
さらに具体的に説明すると、テレビジョン受信機１において、低消費電力表示モードである第２のモードが選択された場合には、ＬＥＤ基板５上に形成された全てのＬＥＤ光源４中、中央部の４つのＬＥＤ光源４のみが点灯状態となり、その他のＬＥＤ光源４は消灯状態となり、ＬＥＤバックライトユニット３に備えられた発光面（未図示）の複数の領域中、上記点灯されている中央部の４つのＬＥＤ光源４から出射された光が拡散される領域からのみ光が出射されることとなる。
【００７１】
そして、ＬＥＤバックライトユニット３に備えられた発光面（未図示）の複数の領域中、点灯された領域（光が出射される領域）と平面視において重なる液晶表示パネル２の表示領域に、所定の画像表示をさせるようになっている。
【００７２】
以下、図３および図４に基づいて、テレビジョン受信機１に備えられたＬＥＤバックライトユニット３の構成について説明する。
【００７３】
図３（ａ）は、テレビジョン受信機１において、低消費電力表示モードである第２のモードが選択された場合における、ＬＥＤバックライトユニット３の状態を示す図であり、図３（ｂ）は、テレビジョン受信機１において、通常の表示モードである第１のモードが選択された場合における、ＬＥＤバックライトユニット３の状態を示す図である。
【００７４】
図３（ａ）および図３（ｂ）に図示されているように、テレビジョン受信機１に備えられたＬＥＤバックライトユニット３には、導光部６ａと発光部６ｂとを有する導光体６が備えられている。
【００７５】
ＬＥＤ光源４から出射された光は、導光体６に備えられた入射面６ｄから入射され、導光部６ａを経て発光部６ｂに導かれ、発光部６ｂの上面であり、面一状に形成された発光面６ｃから出射されるようになっている。
【００７６】
図３（ａ）の場合においては、図示されているように、発光面６ｃの複数の領域中、点灯されている中央部の４つのＬＥＤ光源４から出射された光が拡散される領域からのみ光が出射されることとなる。
【００７７】
一方、図３（ｂ）の場合においては、図示されているように、全てのＬＥＤ光源４が点灯状態となり、発光面６ｃの全領域から光が出射されることとなる。
【００７８】
以上のように、本実施の形態において、用いている導光体６に備えられた発光面６ｃは、発光面６ｃの一辺（図３の場合においては、図中の上下方向）に沿って、領域分けされた複数の領域を有しており、ＬＥＤ光源４をブロック単位（例えば、４個単位）または、個別に制御することにより、発光面６ｃを複数の領域毎に点灯または消灯させることができるようになっている。
【００７９】
なお、本実施の形態においては、より少ない数のＬＥＤ光源４の制御によって、発光面６ｃを複数の領域毎に点灯または消灯でき、回路および配線の複雑化を抑制し、消費電力および製造コストの増加を満足できる程に、抑制できるテレビジョン受信機１を実現できるように、ＬＥＤバックライトユニット３として、導光体６の一端部に備えられた入射面６ｄに沿って、ＬＥＤ光源４が一列に配列されたエッジライト型のＬＥＤバックライトユニットを用いているが、後述する変形例１および２のように、エッジライト型以外のＬＥＤバックライトユニットを用いることもできる。
【００８０】
また、本実施の形態においては、ＬＥＤバックライトユニット３の光源として、点状光源であるＬＥＤ光源４を用いているが、光源の制御によって、発光面６ｃを複数の領域毎に点灯または消灯できるのであれば、棒状光源である蛍光灯などを用いることもできる。
【００８１】
図４は、テレビジョン受信機１において、液晶表示パネル２の表示領域と、ＬＥＤバックライトユニット３とが、平面視において重ねられた部分を示す図である。
【００８２】
図示されているように、導光体６の導光部６ａの上面と下面とは略平行に形成されており、入射された光が導光部６ａにおいて、全反射条件を満たした状態で導光されることにより、光量を維持することができる構成となっている。なお、全反射条件を満たした状態とは、導光体６の内面で反射される光の入射角（反射角と等しい）が、導光体６を構成する材質によって決まる全反射臨界角を上回る状態のことである。導光体６の内面で反射される光の入射角が全反射臨界角を下回ると、全反射されずに、導光体の内面から外部へ抜け出てしまう。
【００８３】
そして、導光体６における発光部６ｂの形状は、光源６から離れていくにつれて、細くなるように形成されている。このような構成とすることにより、発光部６ｂ内に導光されてきた光は、光源４から離れていくにつれて、徐々に全反射条件が崩され、発光面６ｃから出射されることとなる。
【００８４】
導光体６は、ポリカーボネート（ＰＣ）、ポリメチルメタクリレート（ＰＭＭＡ）などの透明樹脂で形成すればよいがこれらに限定されることはなく、導光体として一般的に使用される材料で形成することができる。
【００８５】
そして、導光体６の発光面６ｃを有する面の反対側には、反射シート７が設けられており、反射シート７は、導光体６の発光面６ｃを有する面の反対側から抜けていく光を反射し、上記導光体６に戻すことにより、導光体６の光利用効率を向上させる役割をしている。
【００８６】
それから、導光体６の発光面６ｃ上には、光学部材８が備えられている。
【００８７】
光学部材８は、拡散板と複合機能光学シートとから構成されており、上記複合機能光学シートは、拡散、屈折、集光および偏光を含む各種光学的機能から選択された複数の光学的機能を備えている。
【００８８】
そして、光学部材８上には液晶表示パネル２が備えられている。
【００８９】
なお、本実施の形態においては、点状光源であるＬＥＤ光源４としては、部分表示時に隣接する消灯領域に光が広がるのを抑制するため、出射光の直進性が高い（指向性が高い）光源を用いることが好ましい。
【００９０】
また、導光体６としても、図３および図４に示す形状や種類以外の導光体も用いることができるが、部分表示時に隣接する消灯領域に光が広がるのを抑制するため、直進性の高い導光体を用いることが好ましい。
【００９１】
図５は、テレビジョン受信機１に備えられた駆動回路のブロック図である。
【００９２】
本実施の形態においては、液晶表示パネル２の表示領域の第１の方向が、上記表示領域の観者を基準に、左右方向に沿って配置されたか、上下方向に沿って配置されたか、を検知する液晶表示パネル２の表示領域の配置方向検知部として、角度センサー１２を用いている。
【００９３】
図示されているように、チューナー及び入出力回路（ＨＤＭＩなど）９から映像コントローラー１３に備えられた映像処理部１０には、外部から入力された映像信号が入力される。一方、角度センサー１２から映像コントローラー１３に備えられた映像処理部１０およびＬＥＤ光源制御部１１には、液晶表示パネル２の表示領域の第１の方向が、上記表示領域の観者を基準に、左右方向に沿って配置されたか、上下方向に沿って配置されたか、を検知するための角度情報が入力される。
【００９４】
角度センサー１２から映像処理部１０およびＬＥＤ光源制御部１１に出力される角度情報信号が、０度の場合（図２に図示されているように、液晶表示パネル２の表示領域の第１の方向が、上記表示領域の観者を基準に、左右方向に沿って配置されている場合）は、映像処理部１０は通常の映像をタイミングコントローラー１４に出力し、ＬＥＤ光源制御部１１は、全てのＬＥＤ光源４を点灯させる制御信号をＬＥＤドライバ１５へ出力する。
【００９５】
一方、角度センサー１２から映像処理部１０およびＬＥＤ光源制御部１１に出力される角度情報信号が、９０度の場合（図１に図示されているように、液晶表示パネル２の表示領域の第１の方向が、上記表示領域の観者を基準に、上下方向に沿って配置されている場合）は、映像処理部１０は９０度回転しリサイズした画面に、非表示部分を黒表示とした映像信号を生成し、タイミングコントローラー１４へ出力し、ＬＥＤ光源制御部１１は、中央部の４つのＬＥＤ光源４のみが点灯状態となり、その他のＬＥＤ光源４は消灯状態となる制御信号をＬＥＤドライバ１５へ出力する。
【００９６】
そして、タイミングコントローラー１４は、上記映像信号に基づいて、液晶表示パネル２に所定のタイミングで書込みを行い、ＬＥＤドライバ１５は上記制御信号に基づいて、ＬＥＤバックライトユニット３を制御する。
【００９７】
なお、図示されているように、表示位置・表示ライン数入力部１６を設け、表示位置・表示ライン数入力部１６を介して、上記表示領域の観者（ユーザー）により、低消費電力表示モードである第２のモードが選択された場合に表示される画像の表示位置や表示ライン数を選択できるようにしてもよい。
【００９８】
このような場合は、上記表示領域の観者（ユーザー）により選択された表示位置および表示ライン数に関するデータは、映像処理部１０およびＬＥＤ光源制御部１１に入力され、これに応じて、映像処理部１０では回転および並び替えを行いタイミングコントローラー１４へ映像信号を出力し、ＬＥＤ光源制御部１１でも、ＬＥＤ光源４を点灯または消灯させる制御信号をＬＥＤドライバ１５へ出力する。
【００９９】
本実施の形態においては、上記表示領域の観者（ユーザー）により、低消費電力表示モードである第２のモードが選択された場合に表示される画像は、図１に図示されているように、中央部の４つのＬＥＤ光源４のみが点灯され、液晶表示パネル２の表示領域の第１の方向および第２の方向の中心部に表示されるように設定されている。
【０１００】
このように、低消費電力表示モードである第２のモードが選択された場合に表示される画像の位置を固定することにより、ＬＥＤバックライトユニット３に備えられたＬＥＤ光源４をブロック単位（４個単位）で制御することが可能となり、２ｂｉｔ程度の制御信号でも問題がないので、回路規模を削減できる。
【０１０１】
また、本実施の形態においては、図２に図示されているように、テレビジョン受信機１が図２のように配置され、通常の表示モードである第１のモードが選択された場合には、画素数がフルＨＤ（１９２０×１０８０）である画像が液晶表示パネル２の表示領域に表示されるが、テレビジョン受信機１が図１のように配置され、低消費電力表示モードである第２のモードが選択された場合には、画素数が１０８０×６０８（または６０７）である画像が液晶表示パネル２の表示領域に表示されるようになっている。したがって、低消費電力表示モードである第２のモードが選択された場合のＬＥＤバックライトユニット３の消費電力は、通常の表示モードである第１のモードが選択された場合と比較して、１／３にすることができる。
【０１０２】
すなわち、低消費電力表示モードである第２のモードが選択された場合に表示される画像は、通常の表示モードである第１のモードが選択された場合に表示される画像のアスペクト比を維持したまま、最も大きく表示できるようにしている。
【０１０３】
なお、本実施の形態においては、テレビジョン受信機１が大型ＴＶであるため、チューナー及び入出力回路９、角度センサー１２および映像コントローラー１３は、タイミングコントローラー１４やＬＥＤドライバ１５が設けられている基板とは別基板に設けているが、テレビジョン受信機１がモバイル用などである場合には、チューナー及び入出力回路９、角度センサー１２および映像コントローラー１３は、タイミングコントローラー１４またはＬＥＤドライバ１５が設けられている基板と同一基板に設けられることが好ましい。
【０１０４】
また、本実施の形態においては、液晶表示パネル２、ＬＥＤバックライトユニット３、
チューナー及び入出力回路９、角度センサー１２および映像コントローラー１３は、一つの筐体内に備えられており、筐体外に設けられる配線の数を減らせるので、信頼性および見栄えが向上されたテレビジョン受信機１を実現することができる。
【０１０５】
図６は、表示位置・表示ライン数入力部１６を介して、上記表示領域の観者（ユーザー）が設定することにより、低消費電力表示モードである第２のモードが選択された場合に表示される画像を、少なくとも２つ以上の異なる画像が同時に表示されるようにした場合を示す図である。
【０１０６】
図示されているように、この場合においては、中央部の４つのＬＥＤ光源４以外に上部の４つのＬＥＤ光源４も点灯状態となり、液晶表示パネル２の表示領域には、２つの異なる画像が同時に表示されている。
【０１０７】
このように、低消費電力表示モードである第２のモードが選択された場合に、複数画像表示モードを実現するためには、図５に示すチューナー及び入出力回路９からは、２つの異なるチャンネルの映像信号が映像処理部１０に入力され、映像処理部１０では図６に図示されているような画像となるように、回転および並び替えを行いタイミングコントローラー１４へ映像信号を出力し、ＬＥＤ光源制御部１１では、中央部の４つのＬＥＤ光源４以外に上部の４つのＬＥＤ光源４も点灯させる制御信号をＬＥＤドライバ１５へ出力すればよい。
【０１０８】
本実施の形態においては、以上のように、ＬＥＤバックライトユニット３として、エッジライト型を用いた場合について説明したが、これに限定されることはなく、以下で説明するように、ＬＥＤバックライトユニットとして、タンデム型のバックライトやタイル型のバックライトなどを用いることもできる。
（変形例１）
以下、図７および図８に基づいて、ＬＥＤバックライトユニットとして、タンデム型のバックライト１７を用いた場合について説明する。
【０１０９】
図７は、タンデム型のバックライト１７の概略構成を示す図である。
【０１１０】
図８は、タンデム型のバックライト１７を備えたテレビジョン受信機１ａの概略構成を示す図である。
【０１１１】
図７および図８に図示されているように、タンデム型のバックライト１７は、一方の導光体１８の導光部１８ａに、他方の導光体１８の発光部１８ｂが乗り上げて配置させ、複数個の導光体１８をＤ１方向およびＤ２方向に並べて形成している。
【０１１２】
そして、タンデム型のバックライト１７の発光面は、複数個の発光面１８ｃからなる。
【０１１３】
それから、図示されているように、Ｄ１方向およびＤ２方向に沿って、ＬＥＤ基板２０上に配列されたＬＥＤ光源１９を、Ｄ１方向およびＤ２方向の何れか一方方向に沿って、ブロック単位で制御することにより、タンデム型のバックライト１７の発光面を、タンデム型のバックライト１７の発光面の一辺（Ｄ１方向またはＤ２方向）に沿って、領域分けされた複数の領域毎に点灯または消灯させることができるようになっている。
【０１１４】
なお、各導光体１８において発光面１８ｃが設けられている側の反対面には反射シート２１が設けられている。
【０１１５】
上記構成によれば、ＬＥＤ光源１９を、Ｄ１方向およびＤ２方向の何れか一方方向に沿って、ブロック単位で制御すればよいので、複雑なＬＥＤ光源制御回路と複雑な配線接続とを必要としない。
（変形例２）
以下、図９および図１０に基づいて、ＬＥＤバックライトユニットとして、タイル型のバックライトを用いた場合について説明する。
【０１１６】
図９は、タイル型のバックライト２２の概略構成を示す図である。
【０１１７】
図１０は、タイル型のバックライト２２を備えたテレビジョン受信機１ｂの概略構成を示す図である。
【０１１８】
図９および図１０に図示されているように、タイル型のバックライト２２は、各導光体２３同士が、互いに重ならないように同一平面上においてＤ１方向およびＤ２方向に、並んで配置されていることで、複数の導光体２３の各発光面が面一状に発光面を形成している。
【０１１９】
そして、図示されているように、各導光体２３には、対をなすように２個のＬＥＤ光源２５が設けられており、これらのＬＥＤ光源２５は全体的にＤ１方向およびＤ２方向に沿って配列されており、ＬＥＤ光源２５を、Ｄ１方向およびＤ２方向の何れか一方方向に沿って、ブロック単位で制御することにより、タイル型のバックライト２２の発光面を、タイル型のバックライト２２の発光面の一辺（Ｄ１方向またはＤ２方向）に沿って、領域分けされた複数の領域毎に点灯または消灯させることができるようになっている。
【０１２０】
なお、各導光体２３において発光面が設けられている側の反対面には反射シート２６が設けられている。
【０１２１】
上記構成によれば、ＬＥＤ光源２５を、Ｄ１方向およびＤ２方向の何れか一方方向に沿って、ブロック単位で制御すればよいので、複雑なＬＥＤ光源制御回路と複雑な配線接続とを必要としない。
【０１２２】
〔実施の形態２〕
次に、図１１および図１２に基づいて、本発明の第２の実施形態について説明する。本実施の形態のテレビジョン受信機１ｃは、表示部２７と、セットトップボックス２８と、を備えている点において実施の形態１とは異なっている。その他の構成については実施の形態１において説明したとおりである。説明の便宜上、上記の実施の形態１の図面に示した部材と同じ機能を有する部材については、同じ符号を付し、その説明を省略する。
【０１２３】
図１１は、テレビジョン受信機１ｃの概略構成を示す図である。
【０１２４】
図示されているように、テレビジョン受信機１ｃは、液晶表示パネル２とＬＥＤバックライトユニット３とを備えた表示部２７と、セットトップボックス２８と、からなる。
【０１２５】
図１２は、表示部２７とセットトップボックス２８とのそれぞれに備えられた回路のブロック図である。
【０１２６】
図示されているように、表示部２７には、液晶表示パネル２と、ＬＥＤバックライトユニット３と、角度センサー１２と、タイミングコントローラー１４と、ＬＥＤドライバ１５と、無線通信部２９と、が備えられており、一方、セットトップボックス２８には、チューナー及び入出力回路９と、映像コントローラー１３と、無線通信部３０と、が備えられている。
【０１２７】
すなわち、テレビジョン受信機１ｃにおいては、ユーザーが表示部２７をより容易に回転させ、通常の表示モードである第１のモードと低消費電力表示モードである第２のモードとを選択できるように、回転の対象となる表示部２７を回路ユニットの削減により、軽量化させている。
【０１２８】
図示されているように、表示部２７の軽量化のため、回路が複雑で重くなる要因であるチューナー及び入出力回路９と、映像コントローラー１３と、をセットトップボックス２８側に設けている。
【０１２９】
テレビジョン受信機１ｃにおいては、図示されているように、角度センサー１２からの角度情報信号は、無線通信部２９と無線通信部３０とを介して、映像コントローラー１３に備えられた映像処理部１０およびＬＥＤ光源制御部１１に入力され、上記角度情報信号に応じて、映像処理部１０で生成され、出力される画像信号と、ＬＥＤ光源制御部１１から出力される制御信号と、は、無線通信部３０と無線通信部２９とを介して、タイミングコントローラー１４と、ＬＥＤドライバ１５と、にそれぞれ入力される。
【０１３０】
上記構成においては、角度センサー１２は、表示部２７側に配置され、無線で通信を行う必要があるが、角度センサー１２からの信号は２ｂｉｔ程度あれば十分であり、かつ、角度センサー１２からの信号が変化したときのみ通信すればよいので、通信に支障はきたさない。
【０１３１】
それから、図１２では、ユーザー入力をセットトップボックス２８側への入力としているが、無線通信が、十分な大域を持っており、画像信号や制御信号および角度情報信号を十分に通信できる場合は、ユーザー入力は、表示部２７側の無線通信部２９へ入力してもよい。
【０１３２】
本実施の形態のテレビジョン受信機１ｃは、表示部２７とセットトップボックス２８とが分離されており、これらの間の信号の送受信は、無線にて行われるようにしてあるが、これに限定されることはなく、これらの間の信号の送受信を、有線で行ってもよい。
【０１３３】
〔実施の形態３〕
次に、図１３に基づいて、本発明の第３の実施形態について説明する。本実施の形態のテレビジョン受信機１ｄは、液晶表示パネル２の表示領域の第１の方向が、上記表示領域の観者を基準に、左右方向に沿って配置されたか、上下方向に沿って配置されたか、を検知する液晶表示パネル２の表示領域の配置方向検知部として、角度センサー１２の代わりに、カメラ３１と画像比較部３２とを備えている点において実施の形態１および２とは異なっている。その他の構成については実施の形態１および２において説明したとおりである。説明の便宜上、上記の実施の形態１の図面に示した部材と同じ機能を有する部材については、同じ符号を付し、その説明を省略する。
【０１３４】
図１３は、テレビジョン受信機１ｄに備えられた駆動回路のブロック図である。
【０１３５】
図示されているように、回転させる前にカメラ３１から取られた画像と、回転後にカメラ３１から取られた画像と、は画像比較部３２に送られ、画像比較部３２は、何度回転されているかの角度情報信号を映像処理部１０およびＬＥＤ光源制御部１１に出力する。
【０１３６】
角度情報信号が、０度の場合は、映像処理部１０は通常の映像をタイミングコントローラー１４に出力し、ＬＥＤ光源制御部１１は、全てのＬＥＤ光源４を点灯させる制御信号をＬＥＤドライバ１５へ出力する。
【０１３７】
一方、上記角度情報信号が、９０度の場合は、映像処理部１０は９０度回転しリサイズした画面に、非表示部分を黒表示とした映像信号を生成し、タイミングコントローラー１４へ出力し、ＬＥＤ光源制御部１１は、中央部の４つのＬＥＤ光源４のみが点灯状態となり、その他のＬＥＤ光源４は消灯状態となる制御信号をＬＥＤドライバ１５へ出力する。
【０１３８】
〔実施の形態４〕
次に、図１４に基づいて、本発明の第４の実施形態について説明する。本実施の形態のテレビジョン受信機１ｅは、通常の表示モードである第１のモードと低消費電力表示モードである第２のモードとの選択を、リモコン入力で行っている点において実施の形態１〜３とは異なっている。その他の構成については実施の形態１において説明したとおりである。説明の便宜上、上記の実施の形態１〜３の図面に示した部材と同じ機能を有する部材については、同じ符号を付し、その説明を省略する。
【０１３９】
図１４は、テレビジョン受信機１ｅに備えられた駆動回路のブロック図である。
【０１４０】
図示されているように、テレビジョン受信機１ｅには、リモコン３３とリモコン受信部３４とが備えられている。
【０１４１】
ユーザーは、リモコン３３から通常の表示モードである第１のモードと低消費電力表示モードである第２のモードとの選択を行うことができる。
【０１４２】
そして、リモコン受信部３４はこの選択情報を受信し、映像処理部１０およびＬＥＤ光源制御部１１に出力する。
【０１４３】
上記選択情報が、通常の表示モードである第１のモードの場合は、映像処理部１０は通常の映像をタイミングコントローラー１４に出力し、ＬＥＤ光源制御部１１は、全てのＬＥＤ光源４を点灯させる制御信号をＬＥＤドライバ１５へ出力する。
【０１４４】
一方、上記選択情報が、低消費電力表示モードである第２のモードの場合は、映像処理部１０は、９０度回転せず、リサイズのみした画面に、非表示部分を黒表示とした映像信号を生成し、タイミングコントローラー１４へ出力し、ＬＥＤ光源制御部１１は、中央部の４つのＬＥＤ光源４のみが点灯状態となり、その他のＬＥＤ光源４は消灯状態となる制御信号をＬＥＤドライバ１５へ出力する。
【０１４５】
なお、映像処理部１０において、９０度回転せず、リサイズのみするのは、テレビジョン受信機１ｅにおいては、表示領域を回転させずに、低消費電力表示モードである第２のモードが選択できるからである。
【０１４６】
なお、図示されているように、本実施の形態においては、ユーザーがリモコン３３から表示位置および表示ライン数の入力も選択できるようにしている。
【０１４７】
本発明は上記した各実施の形態に限定されるものではなく、請求項に示した範囲で種々の変更が可能であり、異なる実施の形態にそれぞれ開示された技術的手段を適宜組み合わせて得られる実施の形態についても本発明の技術的範囲に含まれる。
【産業上の利用可能性】
【０１４８】
本発明は、液晶パネルを備えたテレビジョン受信機などの液晶表示装置に好適に用いることができる。
【符号の説明】
【０１４９】
１、１ａ、１ｂ、１ｃ、１ｄ、１ｅ  テレビジョン受信機（液晶表示装置）
２          液晶表示パネル
３          ＬＥＤバックライトユニット（面光源装置）
４          ＬＥＤ光源（光源）
５          ＬＥＤ基板
６          導光体
６ｃ        発光面
１０        映像処理部
１１        ＬＥＤ光源制御部（制御部）
１２        角度センサー（配置方向検知部）
１３        映像コントローラー
１６        表示位置・表示ライン数入力部
２７        表示部（第２の筐体）
２８        セットトップボックス（第１の筐体）
２９、３０  無線通信部
３１        カメラ（撮像装置）
３２        画像比較部
３３        リモコン
【図３】
2015096872.tif 000003
【図４】
2015096872.tif 000004
【図５】
2015096872.tif 000005
【図７】
2015096872.tif 000006
【図８】
2015096872.tif 000007
【図９】
2015096872.tif 000008
【図１０】
2015096872.tif 000009
【図１２】
2015096872.tif 000010
【図１３】
2015096872.tif 000011
【図１４】
2015096872.tif 000012
【図１５】
2015096872.tif 000013
【図１】
2015096872.tif 000014
【図２】
2015096872.tif 000015
【図６】
2015096872.tif 000016
【図１１】
2015096872.tif 000017